(57)【要約】【課題】サイドスペーサタイプの二重係止構造でスライド構造の無い金型で製造可能なハウジング構造を提供する。【解決手段】サイドスペーサＢと端Ｃとを挿入するハウジング構造Ａである。そして、ハウジング本体１は端子Ｃの係止突起７に係止するハウジングランス４を有し、サイドスペーサＢは端子の箱部６を係止する係止部５を有するものであり、ハウジング本体１はスライド金型を使用しないで成形される構造である。さらに、ハウジング本体１にはサイドスペーサＢの傾きを防止する傾き防止壁１１が成形されている。【選択図】図１
2015079662.tif 000002
【特許請求の範囲】
【請求項１】
端子とサイドスペーサとを挿入するハウジング構造において、
前記ハウジング構造は、端子収容室及びハウジングランスを備えるハウジング本体と相手コネクタとのかん合を保持するロックアームとを有し、
前記端子は前側が箱形状に形成されており、箱部はハウジングランスと係止する係止突起を有する一方、前記端子は前記箱形状に連続する芯線加締部と被覆加締部とを有し、
前記サイドスペーサは、前記端子の前記箱部を係止する係止部を有するものであり、
前記ハウジング本体はスライド金型を使用しないで成形される構造であることを特徴とするハウジング構造。
【請求項２】
前記ハウジング本体には前記サイドスペーサの傾きを防止する傾き防止壁が成形されていることを特徴とする請求項１記載のハウジング構造。
【発明の詳細な説明】
【技術分野】
【０００１】
この発明は、ハウジング構造に係り、詳細にはサイドスペーサタイプの二重係止構造でスライド構造の無い金型で製造可能なハウジング構造に関する。
【背景技術】
【０００２】
従来、図１０に示すように、オスコネクタは、オスハウジングＨＪとオスサイドスペーサＳＰと電線が接続されたオス端子ＴＮよりなる。
【０００３】
オスハウジングＨＪには、端子収容室ＴＳが形成されており、この端子収容室ＴＳ内にはハウジングランスＨＲが形成されている。
【０００４】
オスサイドスペーサＳＰには、端子収納スペースと端子係止部ＴＫが形成されている。
【０００５】
オス端子ＴＮは、前側が箱形状に形成されており、箱状部の上部後端がハウジングランスＨＲと係止するようになっている。また、箱状部に連続して、電線の接続と保持を行うため芯線加締部（ワイヤーバレル）と、被覆加締部（インシュレーションバレル）が形成されている。
【０００６】
このような、オスハウジングＨＪは、金型抜き方向ＡＲ３の金型と金型抜き方向ＡＲ４の金型とスライド金型抜き方向ＡＲ５のスライド金型により形成される。
【０００７】
オスコネクタの電気的導通を行うには、予め夫々のオスハウジングＨＪ内にオス端子ＴＮを収容後、オス・メスのコネクタのかん合作業を行うことにより電気的通電が行われる。
【０００８】
なお、振動条件の際においても、ハウジングランスＨＲとオスサイドスペーサＳＰがオスハウジングＨＪ内に端子を結合することで端子収容室と端子のガタ付きを抑制し、安定的な電気的通電がなされる。
【０００９】
図１１はオスコネクタの組み立てを示す。オスハウジングＨＪにオススペーサを矢印ＡＲ６方向に挿入する構成である（特許文献１を参照）。
【先行技術文献】
【特許文献】
【００１０】
【特許文献１】特開２００３−１７１７４号公報
【発明の概要】
【発明が解決しようとする課題】
【００１１】
ハウジング金型は、端子挿入方向と、その反対方向に向かって形成される金型と、オスサイドスペーサ挿入部のスライド金型の合計３つの金型からなる構造となっている。そのため、高度な金型設計、成形技術が必要とされ、更に金型点数も多いことがコストアップの原因になるという問題があった。
【課題を解決するための手段】
【００１２】
本発明は上述の問題を解決するためのものであり、請求項１に係る発明は、端子とサイドスペーサとを挿入するハウジング構造において、前記ハウジング構造は端子収容室及びハウジングランスを備えたハウジング本体と相手コネクタとのかん合を保持するロックアームとを有し、前記端子は前側が箱形状に形成されており箱部はハウジングランスと係止する係止突起を有する一方、前記端子は前記箱形状に連続する芯線加締部と被覆加締部とを有し、前記サイドスペーサは前記端子の前記箱部を係止する係止部を有するものであり、前記ハウジング本体はスライド金型を使用しないで成形される構造であることを特徴とする。
【００１３】
請求項２に係る発明は、前記ハウジング本体には前記サイドスペーサの傾きを防止する傾き防止壁が成形されていることを特徴とする。
【発明の効果】
【００１４】
本願発明によれば、ハウジング金型にスライド構造を設けないようにすることで、金型を簡素化する。すなわち、サイドスペーサの構造でありながら、ハウジングを形成する金型にスライド構造が無く、コスト削減等の効果を奏する。また、サイドスペーサ挿入時のサイドスペーサ傾き防止壁が形成されているためサイドスペーサの傾きを防止できるという効果を奏する。
【図面の簡単な説明】
【００１５】
【図１】ハウジング構造と構成部品を説明する説明図である。
【図２】ハウジング構造を説明する拡大図である。
【図３】メスハウジングの断面を示す断面図である。
【図４】メス端子を説明する説明図である。
【図５】アッセンブリの断面を説明する断面図である。
【図６】スペーサ挿入時のスペーサ傾き状態を説明する説明図である。
【図７】傾き防止壁があるメスハウジングの外観図である。
【図８】傾き防止壁があるメスハウジングの外観図である。
【図９】傾き防止壁があるメスハウジングの断面図である。
【図１０】従来の技術を説明する従来図である。
【図１１】従来の技術を説明する従来図である。
【発明を実施するための形態】
【００１６】
以下、本発明の実施形態を図面を参照して説明する。
【００１７】
図１を参照する。本例のコネクタに係るハウジング構造Ａ（例えば、メスハウジング）は、サイドスペーサＢ（例えば、メスサイドスペーサ）と端子Ｃ（例えば、メス端子）とを挿入するハウジング構造である。
【００１８】
そして、このハウジング構造Ａのハウジング本体１（例えば、メスハウジング本体）は端子Ｃの係止突起に係止するハウジングランス４（例えば、メスハウジングランス（図３参照））を有し、サイドスペーサＢは端子Ｃの箱部６を係止する係止部５を有するものである。ハウジング本体１はスライド金型を使用しないで成形される構造である。
【００１９】
詳細に説明する。本発明のコネクタは非防水メスコネクタであり、この非防水メスコネクタはハウジング構造Ａ、サイドスペーサＢ及び、電線が接続された端子Ｃから構成されている。
【００２０】
そして、ハウジング構造Ａは、ハウジング本体１、相手コネクタとかん合を保持するロックアーム２より構成されている。
【００２１】
ハウジング本体１は、上の段と下の段にそれぞれ並んだ複数の端子収容室３と各端子収容室３に形成されたハウジングランス４（図３参照）を備えている。
【００２２】
なお、端子収容室３には端子Ｃが収容されるものである。一方、サイドスペーサＢは、端子Ｃの箱部６（図４参照）を係止する係止部５がサイドスペーサＢの長手方向に延伸して形成されている。
【００２３】
図２を参照する。ハウジング構造Ａと、このハウジング構造Ａに挿入されるサイドスペーサＢの拡大図である。
【００２４】
サイドスペーサＢの２本の延伸部Ｂ１、延伸部Ｂ２は予め形成されたサイドスペーサ挿入口ＳＰ１、サイドスペーサ挿入口ＳＰ２に挿入される。このサイドスペーサ挿入口ＳＰ１、サイドスペーサ挿入口ＳＰ２はスライド金型を使用しないで成形される構造になっている。
【００２５】
詳細に説明する。ハウジング本体１に形成された面Ｍ１、面Ｍ２、面Ｍ３の高さに比べて、面Ｍ４はくぼんでいる。すなわち、面Ｍ１、面Ｍ５、面Ｍ４、面Ｍ６、面Ｍ３により金型抜き方向から見て凹部形状の溝が形成されている。そして、この凹部形状の溝に、例えば、キャビティに対しての成形用のコアピン等を金型抜き方向から面Ｍ７まで挿入する。
【００２６】
さらに、サイドスペーサ挿入口ＳＰ１、サイドスペーサ挿入口ＳＰ２にも成形用のコアピン等を金型抜き方向から挿入することにより、スライド金型を使用しないでサイドスペーサ挿入口ＳＰ１、サイドスペーサ挿入口ＳＰ２が成形される。
【００２７】
すなわち、これらの成形用のコアピン等は全てハウジング構造Ａの成形後には金型抜き方向ＡＲ１、金型抜き方向ＡＲ２方向に移動する。そして、サイドスペーサＢが挿入可能なサイドスペーサ挿入口ＳＰ１、サイドスペーサ挿入口ＳＰ２が成形される。このように、スライド金型を使用しない成形が可能となる。
【００２８】
図３を参照する。このように、ハウジング構造Ａの成形に使用される金型は、端子挿入方向ＡＲ１と、その反対方向ＡＲ２から抜く構造となっており、スライド金型は使用しない構造である。
【００２９】
一方、図３においては、ハウジングランス４が図示されているが、ハウジングランス４は槍の形状のように形成されているので相手の突起に係止し易くなっている。具体的には、ハウジングランス４は係止突起７と係止し易くなっている。
【００３０】
図４を参照する。ハウジング構造Ａの端子収容室３に収容される端子Ｃは、前側（挿入する際の先頭側）が箱形状に形成されており、箱部６にはハウジングランス４と係止する係止突起７を有する。
【００３１】
なお、本例では、係止突起７の形状を明らかにするため箱部６の上側に係止突起７を図示しているが、実際にはハウジングランス４と係止する係止突起７は図示してある位置の反対側（下側）に位置するものである。
【００３２】
一方、端子Ｃは箱部６に連続して、電線の接続と保持を行うため、電線の導体を保持する芯線加締部（ワイヤーバレル）と、電線の被覆部分を保持する被覆加締部（インシュレーションバレル）が形成されている。さらに、端子Ｃの端子収容室３への誤挿入検知のために、スタビライザ１０も形成する。
【００３３】
図５を参照する。ハウジング構造ＡとサイドスペーサＢと端子Ｃの組み立てたものの断面図である。この断面図において、端子Ｃの箱部６はサイドスペーサＢの係止部５に係止していることが示されている。また、端子Ｃの突起部７がハウジングランス４に係止していることが示されている。すなわち、各端子Ｃは２重の係止により各端子収容室３に収容されている。
【００３４】
図６を参照する。サイドスペーサＢの傾き状態を示す。サイドスペーサＢの傾きを防止するものが無いため傾いている。
【００３５】
図７、図８、図９を参照する。ハウジング構造Ａ’には、上の段に複数のスペーサ傾き防止壁１１が形成されており、下の段にも複数のスペーサ傾き防止壁１１が形成されている。スライド金型は使用しない構造である。これにより、サイドスペーサＢの傾きを防止することができる。
【００３６】
すなわち、サイドスペーサＢの係止部５には、端子Ｃの箱部６が係止するが、サイドフレームＢが傾かないため端子Ｃが確実に固定されるものである。
【００３７】
この発明は前述の発明の実施形態に限定されることなく、適宜な変更を行うことにより、その他の態様で実施し得るものである。
【符号の説明】
【００３８】
１  ハウジング本体
２  ロックアーム
３  端子収容室
４  ハウジングランス
５  係止部
６  箱部
７  係止突起
８  芯線加締部（ワイヤーバレル）
９  被覆加締部（インシュレーションバレル）
１０  スタビライザ
Ａ  ハウジング構造
Ｂ  サイドスペーサ
Ｃ  端子
【図１】
2015079662.tif 000003
【図２】
2015079662.tif 000004
【図３】
2015079662.tif 000005
【図４】
2015079662.tif 000006
【図５】
2015079662.tif 000007
【図６】
2015079662.tif 000008
【図７】
2015079662.tif 000009
【図８】
2015079662.tif 000010
【図９】
2015079662.tif 000011
【図１０】
2015079662.tif 000012
【図１１】
2015079662.tif 000013